(57)【要約】      （修正有）【課題】使用目的に応じた大きさを選べるペーパーウエスを提供する。更に使用現場で置き場所が少なくて済み持ち運びが容易で使い勝手のよいペーパーウエス製品を提供する。【解決手段】ペーパーウエスは、帯状に一続きに延びたウエス用のペーパーに、幅方向に延びるミシン目を、長手方向に間隔をあけて形成し、任意のミシン目から破り取れるようにしている。ペーパーウエス製品Ａは、ペーパーウエス１と包装容器２とからなり、包装容器２は、帯状に長いペーパーウエス１を長手方向においてジグザグに折り畳んで収容するものであり、容器の上面中央部には幅方向に長い長四角形の取出口が形成されている。取出口の幅は、ペーパーウエスの幅よりも狭い。【選択図】図１
0003137383.tif 000002
【実用新案登録請求の範囲】
【請求項１】
帯状に一続きに延びたウエス用のペーパーに、幅方向に延びるミシン目を、長手方向に間隔をあけて形成している
ことを特徴とするペーパーウエス。
【請求項２】
前記ウエス用のペーパーを、その長手方向に沿って二重に折り畳んでいる
ことを特徴とする請求項１記載のペーパーウエス。
【請求項３】
請求項１記載のペーパーウエスと包装容器とからなり、
前記包装容器は、帯状に長いペーパーウエスを長手方向においてジグザグに折り畳んで収容するものであり、該容器の上面中央部には幅方向に長い長四角形の取出口が形成されている
ことを特徴とするペーパーウエス製品。
【請求項４】
前記取出口の幅は、前記ペーパーウエスの幅よりも狭い
ことを特徴とする請求項３記載のペーパーウエス製品。
【考案の詳細な説明】
【技術分野】
【０００１】
本考案は、ペーパーウエスおよびペーパーウエス製品に関する。ペーパーウエスは、１）汚れ等を拭き取る用途、２）液体や油を吸い取る用途、３）緩衝材・包装等、様々な用途に使用される多目的が特徴の紙のウエスをいう。このようなペーパーウエスは、古くから使われていた古布などを用いたウエスよりも使い勝手が良いことから、今日、多用されるようになっている。
ペーパーウエス製品は、ペーパーウエスを輸送できる状態に保管したり、使用する状態に保持するようにしたものをいう。
【背景技術】
【０００２】
前記ペーパーウエス製品には、カットされたシートの形態のペーパーウエスを箱や袋に詰めたものや、カットしないで長いままのペーパーウエスをロール状に巻いてホルダーで支持して使うタイプの二つが主流である（非特許文献１参照）。上記のうち、シート状のペーパーウエスは紙製の箱や袋に詰めておき、その都度取り出して使用するが、カットされているシート寸法は一定であるため、用途によっては小さすぎたり大きすぎたりするという不便がある。このため、多種類の大きさのペーパーウエスを揃えようとすると、置き場所に困ったり、欲しいものが遠くになったりして結構不便である。
また、ロール状のペーパーウエスは、ロールスタンドなど専用の保持具を用いて使用する（非特許文献１参照）。このため、ロールスタンドが作業場を占有するし、一々作業者がペーパーを取りに行かなければならない等の不便がある。
【０００３】
ところで、ペーパーウエスの実際の使用現場では、使用目的や拭き取り場所に応じてシートの大きさを変えて使いたいという要望がある。したがって、多用途で使用する場合には、シートを自由な大きさにカットして使用することができることが望ましい。
また専用スタンドやホルダーを用いた場合は、場所を占有したり、持ち運びに不便といった問題があるので、もっと簡便に使用できることが望ましい。
【０００４】
【非特許文献１】http://www.crecia.co.jp/
【考案の開示】
【考案が解決しようとする課題】
【０００５】
本考案は上記事情に鑑み、使用目的や拭き取り場所に応じた大きさを選べるペーパーウエスを提供することを目的とする。また、使用現場で置き場所が少なくて済み持ち運びが容易で使い勝手のよいペーパーウエス製品を提供することを目的とする。
【課題を解決するための手段】
【０００６】
第１考案のペーパーウエスは、帯状に一続きに延びたウエス用のペーパーに、幅方向に延びるミシン目を、長手方向に間隔をあけて形成していることを特徴とする。
第２考案のペーパーウエスは、第１発明において、前記ウエス用のペーパーを、その長手方向に沿って二重に折り畳んでいることを特徴とする。
第３考案のペーパーウエス製品は、請求項１記載のペーパーウエスと包装容器とからなり、前記包装容器は、帯状に長いペーパーウエスを長手方向においてジグザグに折り畳んで収容するものであり、該容器の上面中央部には幅方向に長い長四角形の取出口が形成されていることを特徴とする。
第４考案のペーパーウエス製品は、第３発明において、前記取出口の幅は、前記ペーパーウエスの幅よりも狭いことを特徴とする。
【考案の効果】
【０００７】
第１考案によれば、帯状に長いペーパーに間隔をあけて形成されている幾つかのミシン目のうち、適切なミシン目から切断することにより所望の大きさのウエスが得られるので、使用目的等に合わせた大きさを任意に選択できる。
第２考案によれば、二重にすることにより嵩高さを確保しているので、ペーパー自体の柔軟性を維持しつつ緩衝性や衝撃吸収性を付与する嵩高さも兼ね備えることができるので、ウエスとしてあらゆる場面で使いやすくなっている。
第３考案によれば、容器の上面の取出口からペーパーを引き出すと、ジグザグに折り畳まれている状態のペーパーを順につながったまま引き出すことができる。このため、任意のミシン目で切断すると、任意の大きさのウエスを得ることができる。
第４考案によれば、ペーパーを取出口から引き出すとき、取出口の両側辺がペーパーに少し引っ掛かり適度な摩擦を生ずるので、ミシン目で切るとき、切断しやすくなる。
【考案を実施するための最良の形態】
【０００８】
つぎに、本考案の実施形態を図面に基づき説明する。
図１は本考案の一実施形態に係るペーパーウエス製品の斜視図である。図２は図１のペーパーウエス製品の断面図である。
【０００９】
図１および図２において、１はペーパーウエス、２は包装容器である。ペーパーウエス製品Ａは、このペーパーウエス１と包装容器２とで構成されている。
図２に示すように、ペーパーウエス１は長手方向においてジグザグに折り畳んで、包装容器２に収容されている。図２では折り畳んだ状態の上下のペーパーの間に隙間があるように描いているが、実際には隙間が生じないように密着して折り畳まれている。
【００１０】
ペーパーウエス１に用いるペーパーは、パルプや古紙、不織布を材料とするのが代表的であるが、これらに限られず、ウエスとしての用途に向くならば、何を材料としてもよい。
坪量は２０〜120g/m２が好ましく、1枚物でもよいが、２枚〜４枚程度を積層したものでもよい。
上記範囲内であれば、汚れ等を拭き取る必要な柔らかさと強度が得られ、水や油などの吸収量を確保でき、嵩高さや緩衝性能を満足できる。なお、前記下限値を下廻れば、上記性能を欠くことになり、前記上限値を上廻ればオーバースペックとなる。
【００１１】
図３はウエス用のペーパーを示す斜視図である。図３に示すように、ペーパーウエス１の形態は帯状に長く一続きになったものである。そして、長手方向において間隔をあけてミシン目３を入れている。このミシン目３はペーパーウエス１の幅方向に延びているので、人の手で引っ張ると、ミシン目３から破り取ることができる。
破り取った後のペーパーウエス１の大きさは任意に設定できるが、多目的に使う用途であるなら、幅Ｗが200〜400ｍｍ、長さＬが400〜800ｍｍ位が適当である。
【００１２】
ペーパーウエス１は、既述のごとく１枚物でもよいが、２枚〜４枚程度を積層したものでもよい。このような積層タイプはウエスに必要な柔らかさを維持しながら、緩衝性や吸油量等を左右する嵩高さを確保することができる。
図３において、（Ａ）は１枚物を示し、（Ｂ）と（Ｃ）は２枚物を示す。（Ｂ）は中央で折り畳んで２重にしたものであり、（Ｃ）は両側２ヵ所で折畳み２重にしたものである。このような折り方は任意であり、図示の例に限られることはない。
【００１３】
図４は包装容器を示す斜視図である。図４は包装容器２の一例を示している。この包装容器２は、紙やフィルムその他の材料を用いた長方体の容器であればよい。
容器の上面中央には取出口４が形成されている。この取出口４は、容器２の幅方向に延びる長四角形とすることが望ましい。また、その幅寸法ｗはペーパーウエス１の幅Ｗより少し短い位が好ましい。この場合、図１に示すように包装容器２からペーパーウエス１を引きずり出すとき、適度な摩擦が働くので、ミシン目３を形成した所で破り取りやすくなる。
【００１４】
本考案のペーパーウエス製品Ａを使う場合は、図１に示すように包装容器２からペーパーウエス１を引きずり出し、適当なミシン目３で切り取って使うことになる。
図５の（Ａ）に示すように、隣り合うミシン目３，３で破り取ったペーパーウエスは基準の大きさで、例えば、330ｍｍ×660ｍｍの寸法である。
このペーパーウエス１は２枚に折り畳まれているものであるが、それを広げると、（Ｂ）のように２倍の面積に広くなり、このような使用法も可能である。
さらに、（Ｃ）に示すように、１本のミシン目３を挟んだ２ヵ所のミシン目３で破り取り、（Ａ）の４倍の面積とすることも可能である。さらに、２本以上のミシン目３を挟んで破り取ることも可能であり、こうすることにより任意の面積のものを使用することができる。
【図面の簡単な説明】
【００１５】
【図１】本考案の一実施形態に係るペーパーウエス製品の斜視図である。
【図２】図１のペーパーウエス製品の断面図である。
【図３】ペーパーウエスを示す斜視図である。
【図４】包装容器を示す斜視図である。
【図５】異なる大きさのペーパーウエスを示す斜視図である。
【符号の説明】
【００１６】
１    ペーパーウエス
２    包装容器
３    ミシン目
４    取出口
【図１】
0003137383.tif 000003
【図２】
0003137383.tif 000004
【図３】
0003137383.tif 000005
【図４】
0003137383.tif 000006
【図５】
0003137383.tif 000007